(57)【要約】【課題】ポストアンプＩＣ等に対するパラメータ設定処理に係るデータ通信頻度を抑え、ポストアンプＩＣにノイズが極力発生しない光トランシーバを提供する。【解決手段】本発明の光トランシーバ１は、信号光を出力する光送信モジュールＴＸと受信光を受光する光受信モジュールＲＸと、これらモジュールの動作用パラメータを設定する制御部２０とを備える。光送信モジュールＴＸと制御部２０に電源が供給された後に、光受信モジュールＲＸに電源が供給される。制御部２０は、光受信モジュールＲＸからの受信光の強度モニタ値が所定の閾値を超えた場合に、光受信モジュールＲＸの動作用パラメータを設定する。【選択図】図１
2010187189.tif 000002
【特許請求の範囲】
【請求項１】
信号光を出力する光送信モジュールと受信光を受光する光受信モジュールと、これらモジュールの動作用パラメータを設定する制御部とを備え、前記光送信モジュールと前記制御部に電源が供給された後に、前記光受信モジュールに電源が供給される光トランシーバであって、
前記制御部は、前記光受信モジュールからの受信光の強度モニタ値が所定の閾値を超えた場合に、前記光受信モジュールの前記動作用パラメータを設定することを特徴とする光トランシーバ。
【請求項２】
前記制御部は、前記光受信モジュールのポストアンプの動作用パラメータを設定することを特徴とする請求項１に記載の光トランシーバ。
【請求項３】
前記制御部は、前記ポストアンプの動作用パラメータの設定前は、ＬＯＳ信号をアサートしておき、前記ポストアンプの動作用パラメータの設定後は、前記ポストアンプからのＬＯＳ通知信号により前記ＬＯＳ信号のアサートを停止することを特徴とする請求項２に記載の光トランシーバ。
【発明の詳細な説明】
【技術分野】
【０００１】
本発明は、光通信に用いられる光トランシーバのノイズ対策に関する。
【背景技術】
【０００２】
光トランシーバは、信号光を出力する光送信モジュール（TOSA：Transmitting Optical Sub-Assembly）、受信光を受光する光受信モジュール（ROSA：Receiver Optical Sub-Assembly）を有し、光信号を送受信するものである。このような光トランシーバにおいては、使用周波数が高帯域になると、微少ノイズであっても、ノイズにより様々な不具合が発生するので、十分なノイズ対策をとる必要がある。
【０００３】
図４は、従来の光トランシーバの機能ブロック図を示したものである。光トランシーバ１０は、光送信モジュールＴＸと、光受信モジュールＲＸと、制御部１５を備える。光送信モジュールＴＸは、光送信部１１、レーザドライバＩＣ１２から構成される。光送信部１１は、光ファイバ（図示せず）に送信信号に対応する信号光を出力するＬＤ（Laser Diode）等から構成され、レーザドライバＩＣ１２は、外部機器（図示せず）が出力した送信信号に基づき光送信部１１のＬＤを駆動する。
【０００４】
光受信モジュールＲＸは、光受信部１３、ポストアンプＩＣ１４から構成される。光受信部１３は、光ファイバ（図示せず）からの受信光を受光し、受信信号を出力するＰＤ（Photo Diode）等から構成され、受信光の強度をモニタし、制御部１５に、受信光の強度モニタ値（パワーモニタ値）を出力する（非特許文献１、２参照）。ポストアンプＩＣ１４は、光受信部１３が出力した受信信号を増幅し、外部機器（図示せず）に出力し、光受信部１３からの受信信号が最小検出可能レベルを下回ると、外部機器（図示せず）にＬＯＳ（Loss Of Signal）信号を出力する。
【０００５】
制御部１５は、光送信モジュールＴＸと光受信モジュールＲＸの動作を制御し、監視制御用シリアル通信信号などを送受信する処理を実行する。また、制御部１５は、レーザドライバＩＣ１２、ポストアンプＩＣ１４に動作用パラメータ（以下、パラメータと記す）を設定するパラメータ設定部１５ａを有する。
【０００６】
光送信モジュールＴＸと光受信モジュールＲＸには、それぞれ別個の電源装置（図示せず）から電源ライン（ＬＴ、ＬＲ）を介して電源電圧（ＶＣＣＴ、ＶＣＣＲ）が供給されている（非特許文献１参照）。これは、光トランシーバ１０においては、光送信モジュールＴＸの動作の影響によって、光受信モジュールＲＸにノイズが発生しないようにするためである。また、制御部１５には、光送信モジュールＴＸに電源を供給する電源装置から同時に電源ラインＬＴを介して電源電圧ＶＣＣＴが供給されている。
【０００７】
光送信モジュールＴＸ、光受信モジュールＲＸに対する電源電圧の供給タイミングであるが、通常、光送信モジュールＴＸに電源電圧ＶＣＣＴが供給され、次いで、光受信モジュールＲＸに電源電圧ＶＣＣＲが供給される。このような順序にする一つの理由は、制御部１５（光送信モジュールＴＸと電源装置が共通）に電源を供給し、制御部１５を最初に起動する必要があるからである。また、光送信モジュールＴＸに対する電源供給によって光受信モジュールＲＸにノイズが発生しないようにするためでもある。
【０００８】
ところで、前述のように、レーザドライバＩＣ１２、ポストアンプＩＣ１４には、制御部１５のパラメータ設定部１５ａによって、内部通信バス（図示せず）を介して、パラメータが設定される。例えば、レーザドライバＩＣ１２には、パラメータとして光出力パワー目標値や消光比設定値などが設定され、また、ポストアンプＩＣ１４には、パラメータとして受信帯域設定値やＬＯＳ信号出力のための光入力断検知閾値などが設定される（特許文献１参照）。
【０００９】
ここで、図５のタイミングチャート及び図６のフロー図を用いて、ポストアンプＩＣ１４に対するパラメータ設定について説明する。光送信モジュールＴＸ、及び、制御部１５に光送信モジュール用電源装置から電源電圧ＶＣＣＴが供給されると（Ｔ１参照）、光送信部１１、レーザドライバＩＣ１２、及び、制御部１５が起動し、制御部１５のパラメータ設定部１５ａは、レーザドライバＩＣ１２、ポストアンプＩＣ１４にパラメータを設定する処理を開始する。
【００１０】
しかし、図５のＴ２のタイミングでは、光受信モジュールＲＸには、光受信モジュール用の電源電圧ＶＣＣＲが供給されていないので、ポストアンプＩＣ１４は動作していない。それ故、ポストアンプＩＣ１４に、パラメータを設定することができない（Ｔ２参照：設定失敗）。また、制御部１５は、光受信モジュールＲＸに対する電源電圧ＶＣＣＲの供給の有無を検出する機能を有しないため、パラメータ設定部１５ａは、電源電圧ＶＣＣＲの供給の有無にかかわらず、ポストアンプＩＣ１４に対しパラメータ設定を一定間隔で繰り返す（Ｔ５、Ｔ６）。
【００１１】
制御部１５が、光受信モジュールＲＸに対する電源電圧ＶＣＣＲの供給の有無を検出し、電源電圧ＶＣＣＲが供給されポストアンプＩＣ１４の起動が確認された場合に、パラメータを設定する方法も考えられるが、この方法の場合、制御部１５にＡ／Ｄコンバータ等を追加実装する必要があり、回路構成が大きくなるので採用することはできない。
【００１２】
図６は、前記のパラメータ設定処理を説明するためのフロー図である。パラメータ設定部１５ａは、起動後、パラメータ設定処理を実行し（ステップＳ１）、一定時間ウェイトして（ステップＳ２）、再度、パラメータ処理を実行する（ステップＳ１）。
【先行技術文献】
【特許文献】
【００１３】
【特許文献１】米国特許出願公開第６９１２３６１号明細書
【非特許文献】
【００１４】
【非特許文献１】Small Form-Factor Pluggable (SFP) Transceiver Multisource Agreement(INF-8074)
【非特許文献２】SFF Committee SFF-8472 Specification for Diagnostic Monitoring Interface for Optical Transceivers Rev 10.3 December 1, 2007(SFF-8472)
【発明の概要】
【発明が解決しようとする課題】
【００１５】
パラメータ設定処理による内部通信バスを介して行う各種データ通信が、図５のタイミングチャートに示すように、微少信号を扱うポストアンプＩＣ１４のアナログ回路にノイズを発生させる原因となる（Ｔ３参照）。ところで、光受信モジュールＲＸに光受信モジュール用電源装置から電源電圧ＶＣＣＲが供給されて（Ｔ４参照）、ポストアンプＩＣ１４に対するパラメータ設定が成功した後も（Ｔ５参照：設定成功）、繰り返しパラメータ設定処理が実行される（Ｔ６参照）。
【００１６】
このため、繰り返しパラメータ設定処理が実行されると、これによって、ノイズが繰り返し発生することになる（Ｔ７、Ｔ８参照）。
本発明は、かかる実情に鑑みてなされたものであり、ポストアンプＩＣ等に対するパラメータ設定処理に係るデータ通信頻度を抑え、ポストアンプＩＣにノイズが極力発生しない光トランシーバを提供することを目的とする。
【課題を解決するための手段】
【００１７】
本発明の光トランシーバは、信号光を出力する光送信モジュールと受信光を受光する光受信モジュールと、これらモジュールの動作用パラメータを設定する制御部とを備え、光送信モジュールと制御部に電源が供給された後に、光受信モジュールに電源が供給される光トランシーバである。制御部は、光受信モジュールからの受信光の強度モニタ値が所定の閾値を超えた場合に、光受信モジュールの動作用パラメータを設定する。また、制御部は、光受信モジュールのポストアンプの動作用パラメータを設定する。さらに、制御部は、ポストアンプの動作用パラメータの設定前は、ＬＯＳ信号をアサートしておき、ポストアンプの動作用パラメータの設定後は、ポストアンプからのＬＯＳ通知信号によりＬＯＳ信号のアサートを停止する。
【発明の効果】
【００１８】
本発明により、光受信部における受信光の強度が所定値を超えると、光受信モジュールのポストアンプＩＣに対するパラメータ設定処理が実行されるので、ポストアンプＩＣに対するノイズを抑制することができる。
【図面の簡単な説明】
【００１９】
【図１】本発明に係る光トランシーバの機能ブロック図である。
【図２】本発明のパラメータ設定処理を説明するためのタイミングチャートである。
【図３】本発明のパラメータ設定処理を説明するためのフロー図である。
【図４】従来の光トランシーバの機能ブロック図である。
【図５】従来のパラメータ設定処理を説明するためのタイミングチャートである。
【図６】従来のパラメータ設定処理を説明するためのフロー図である。
【発明を実施するための形態】
【００２０】
図１は、本発明に係る光トランシーバの機能ブロック図である。本発明に係る光トランシーバ１は、図４で説明したのと同様に、ＬＤ等から構成される光送信部１１、光送信部１１のＬＤを駆動するレーザドライバＩＣ１２を備えた光送信モジュールＴＸと、ポストアンプＩＣ１４に受光した受信光に基づく受信信号を出力するＰＤ等から構成される光受信部１３と光受信部１３が出力した受信信号を増幅するポストアンプＩＣ１４とを備えた光受信モジュールＲＸと、光送信モジュールＴＸと光受信モジュールＲＸの動作を制御する制御部２０とから構成される。光受信部１３は、受信光の強度をモニタし、制御部２０に、前記受信光の強度モニタ値（パワーモニタ値）を出力する。
【００２１】
本発明に係る制御部２０のパラメータ設定部２０ａは、光送信モジュールＴＸ（レーザドライバＩＣ１２）、光受信モジュールＲＸ（ポストアンプＩＣ１４）にパラメータを設定するが、ポストアンプＩＣ１４に対するパラメータの設定は、光受信部１３が出力した前記受信光の強度モニタ値が所定の閾値を超えた場合に実行され、ＬＯＳ信号が出力されるまで設定が維持される。
【００２２】
次に、本発明におけるポストアンプＩＣ１４に対するパラメータ設定処理について、図２のタイミングチャートを用いて説明する。
まず、光送信モジュールＴＸ、及び、制御部２０に光送信モジュール用電源から電源電圧ＶＣＣＴが供給され（Ｔ１１参照）、光送信部１１、レーザドライバＩＣ１２、及び、制御部２０が起動する。この時、制御部２０のパラメータ設定部２０ａは、レーザドライバＩＣ１２にパラメータを設定するが、ポストアンプＩＣ１４には、パラメータを設定しない。次いで、光受信モジュールＲＸに、光受信モジュール用電源から電源電圧ＶＣＣＲが供給され（Ｔ１２参照）、光受信部１３、及び、ポストアンプＩＣ１４が起動する。
【００２３】
その後、光受信部１３が、光ファイバ（図示せず）からの受信光を受光し（Ｔ１３参照）、光受信部１３は、制御部２０に前記受信光の強度モニタ値を出力する。前記受信光の強度モニタ値を受信した制御部２０のパラメータ設定部２０ａは、当該強度モニタ値が所定の閾値Ｓ１を超えた場合に（Ｔ１４参照）、ポストアンプＩＣ１４にパラメータを設定する（Ｔ１５参照：設定成功）。
【００２４】
この時、ポストアンプＩＣ１４のアナログ回路にノイズが発生するが（Ｔ１６参照）、ポストアンプＩＣ１４は、受信信号入力による過渡応答中であって、受信信号が安定化するまでにパラメータ設定処理が終了されるので、前記アナログ回路における前記ノイズによる影響は最小限に抑えられる。以後、パラメータの設定後は、光受信モジュールＲＸへの電源電圧ＶＣＣＲの供給が停止・再開され、あるいは、ＬＯＳ信号が出力されるまでは再設定されない。それ故、ポストアンプＩＣ１４に対するノイズの発生が制限できる。
【００２５】
また、光受信部１３に電源電圧ＶＣＣＴが供給されて起動した後、正常な受信光を受光するまでは、外部機器にＬＯＳ信号を出力（アサート）する必要がある。しかし、ポストアンプＩＣ１４には、前述のように、その間、パラメータは設定されていないので、従来例の光トランシーバの機能ブロック図（図４参照）で説明したように、ポストアンプＩＣ１４自体は、ＬＯＳ信号を出力することはできない。そこで、本発明においては、制御部２０が、ＬＯＳ信号を出力するようにする。
【００２６】
制御部２０に電源電圧ＶＣＣＴが供給され（Ｔａ参照：電源電圧供給）、ポストアンプＩＣ１４にパラメータが設定され、その後、前記受信光の強度モニタ値が、所定の閾値Ｓ２を超えると（Ｔｂ参照：受信光）、ポストアンプＩＣ１４は、制御部２０に、ＬＯＳ信号の出力を停止するように通知するＬＯＳ通知信号を出力する（Ｔ１７参照）。それによって、制御部２０は、外部機器に対するＬＯＳ信号の出力を停止する（Ｔ１８参照）。他にも、制御部２０が受信した受信光の強度モニタ値が所定の閾値Ｓ２を超えた場合に、ＬＯＳ信号の出力を停止してもよい。このようにすると、ポストアンプＩＣ１４が、制御部２０に、ＬＯＳ通知信号を出力する必要がなくなる。
【００２７】
次に、本発明のパラメータ設定処理について、図３のフロー図を用いて説明する。なお、既に、光受信モジュールＲＸに光受信モジュール用電源が供給されているものとする。
まず、光受信部１３が、受信光を受光すると、受信光の強度をモニタし、制御部２０に、強度モニタ値を出力する（ステップＳ１１）。制御部２０のパラメータ設定部２０ａは、受信した受信光の強度モニタ値が所定の閾値Ｓ１を超えたか否かを判定する（ステップＳ１２）。受信した受信光の強度モニタ値が所定の閾値Ｓ１を超えた場合には（ステップＳ１２／ＹＥＳ）、パラメータ設定部２０ａは、ポストアンプＩＣ１４にパラメータを設定する（ステップＳ１３）。超えていない場合には（ステップＳ１２／ＮＯ）、ステップＳ１１に戻る。
【００２８】
このように、受信光の強度モニタ値が所定の閾値Ｓ１を超えると、ポストアンプＩＣ１４に対するパラメータ設定処理が実行される。その結果、パラメータ設定のデータ通信を、必要最小限に抑えることができるので、ポストアンプＩＣ１４に対するノイズの発生を抑制することができる。
【符号の説明】
【００２９】
１，１０…光トランシーバ、１１…光送信部、１２…レーザドライバＩＣ、１３…光受信部、１４…ポストアンプＩＣ、１５，２０…制御部、１５ａ，２０ａ…パラメータ設定部、ＴＸ…光送信モジュール、ＲＸ…光受信モジュール。
【図１】
2010187189.tif 000003
【図２】
2010187189.tif 000004
【図３】
2010187189.tif 000005
【図４】
2010187189.tif 000006
【図５】
2010187189.tif 000007
【図６】
2010187189.tif 000008